(57)【要約】【課題】  携帯端末を用いたストリーミングシステムにおいて、スライドバーを操作することができない場合でも、エンドユーザがその携帯端末に表示される早送りや早戻しの最中の映像を確認しながら再生所望点を探索・指定・再生できるようにする。【解決手段】  携帯端末１は、押しボタン操作部１０の操作に応答してストリーミングコンテンツのうちＩフレームを連続して送信させるための指令をストリーミングサーバ２に送信する。ストリーミングサーバ２は、携帯端末１からの指令に応答してコンテンツ格納部２０からＩフレームを連続して携帯端末１に送信する。このように構成すれば、携帯端末で動画像等を再生する場合に、押しボタン操作によって早送り再生や早戻し再生を実現することができる。【選択図】      図１
2005136504.tif 000002
【特許請求の範囲】
【請求項１】
高能率符号化方式でエンコードされたストリーミングコンテンツが格納された格納手段と、
携帯端末の押しボタン操作に応答して前記格納手段から前記ストリーミングコンテンツのうち自フレーム内で圧縮が完結している圧縮フレームを連続して前記携帯端末に送信するフレーム送信手段とを含むことを特徴とするストリーミングサーバ。
【請求項２】
高能率符号化方式でエンコードされたストリーミングコンテンツを外部装置から受信して再生する携帯端末であって、
押しボタン操作部と、前記押しボタン操作部の操作に応答して前記ストリーミングコンテンツのうち自フレーム内で圧縮が完結している圧縮フレームを連続して送信させるための指令を前記外部装置に送信する指令送信手段とを含むことを特徴とする携帯端末。
【請求項３】
高能率符号化方式でエンコードされたストリーミングコンテンツを送信するストリーミングサーバと、前記ストリーミングコンテンツを前記ストリーミングサーバから受信して再生する携帯端末とを含むストリーミングコンテンツ再生システムであって、
前記携帯端末は、押しボタン操作部と、前記押しボタン操作部の操作に応答して前記ストリーミングコンテンツのうち自フレーム内で圧縮が完結している圧縮フレームを連続して送信させるための指令を前記ストリーミングサーバに送信する指令送信手段とを含み、
前記ストリーミングサーバは、前記ストリーミングコンテンツが格納された格納手段と、前記携帯端末からの前記指令に応答して前記格納手段から前記圧縮フレームを連続して前記携帯端末に送信するフレーム送信手段とを含むことを特徴とするストリーミングコンテンツ再生システム。
【請求項４】
高能率符号化方式でエンコードされたストリーミングコンテンツをストリーミングサーバから送信し、該ストリーミングコンテンツを携帯端末において受信して再生するストリーミングコンテンツ再生方法であって、
前記携帯端末における押しボタン操作に応答して前記ストリーミングコンテンツのうち自フレーム内で圧縮が完結している圧縮フレームを連続して送信させるための指令を前記ストリーミングサーバに送信する指令送信ステップと、
前記指令に応答して前記ストリーミングコンテンツのうち自フレーム内で圧縮が完結している圧縮フレームを連続して前記携帯端末に送信するフレーム送信ステップとを含むことを特徴とするストリーミングコンテンツ再生方法。
【請求項５】
ストリーミングコンテンツの再生に関する指令を、携帯端末から送信する制御を行うための携帯端末制御プログラムであって、前記携帯端末内のコンピュータに、ボタン押下を検出するステップと、押下されたボタンに対応する指令を外部装置に送信するステップとを実行させることを特徴とする携帯端末制御プログラム。
【発明の詳細な説明】
【技術分野】
【０００１】
本発明は、ストリーミングコンテンツサーバから送信されるコンテンツを、クライアントである携帯端末で受信して再生するストリーミングシステムにおける特殊再生に関する。
【背景技術】
【０００２】
画像信号を高能率符号化する方式として、ＭＰＥＧ（Ｍｏｖｉｎｇ  Ｐｉｃｔｕｒｅ  Ｅｘｐｅｒｔｓ  Ｇｒｏｕｐ）が広く知られている。このＭＰＥＧによる画像信号の高能率符号化方式の原理は、以下に示すようなものである。
すなわち、この高能率符号化方式では、まず、画像間の差分を取ることで時間軸方向の冗長度を落とし、その後、いわゆる離散コサイン変換（ＤＣＴ）処理と可変長符号とを使用して空間軸方向の冗長度を落とすようにしている。
【０００３】
まず、上記時間軸方向の冗長度について以下に述べる。
一般に、連続した動画では、時間的に前後の画像と、ある注目している画像（すなわちある時刻の画像）とは良く似ているものである。このため、例えば図７に示されているように、今から符号化しようとしている画像と、時間的に前方の画像との差分を取り、その差分を伝送するようにすれば、時間軸方向の冗長度を減らして伝送する情報量を少なくすることが可能となる。このようにして符号化される画像は、前方予測符号化画像（Ｐｒｅｄｉｃｔｉｖｅ−ｃｏｄｅｄ  Ｐｉｃｔｕｒｅ、Ｐフレーム又はＰピクチャ）と呼ばれる。同様に、上記今から符号化しようとしている画像と、時間的に前方又は後方若しくは、前方及び後方から作られた補間画像との差分をとり、それらのうち小さな値の差分を伝送するようにすれば、時間軸方向の冗長度を減らして伝送する情報量を少なくすることが可能となる。このようにして符号化される画像は、両方向予測符号化画像（Ｂｉｄｉｒｅｃｔｉｏｎａｌｌｙ  Ｐｒｅｄｉｃｔｉｖｅ−ｃｏｄｅｄ  Ｐｉｃｔｕｒｅ、Ｂフレーム又はＢピクチャ）と呼ばれる。
【０００４】
なお、図７中「Ｉ」で示されている画像は、画像内符号化画像（イントラ符号化画像：Ｉｎｔｒａ−ｃｏｄｅｄ  Ｐｉｃｔｕｒｅ、Ｉフレーム又はＩピクチャと呼ばれる）である。このＩフレームは、フレーム内で圧縮を完結しており、そのフレームのデータだけで再生することができる。また、同図中「Ｐ」で示されている画像は上記Ｐピクチャ、同図中「Ｂ」で示されている画像は上記Ｂピクチャ、である。
【０００５】
ところで、ストリーミングコンテンツを送信するストリーミングシステムとして、例えば特許文献１に記載のものがある。特許文献１には、サーバ・クライアントモデルのストリーミングシステムにおける早送り・早戻しといった特殊再生において、無駄なデータを送受信せず、再生可能なＭＰＥＧ−４形式のＩフレームからデータを送受信する効率的な特殊再生方式が開示されている。
【０００６】
この特許文献１では、エンドユーザの再生所望点の指定方法として、図８に示されているようなスライドバーを用いている。すなわちクライアント端末に実装されるスライドバーにより、ストリーミングコンテンツの全長及び再生中の場所を示し、再生所望時間を指定することになる。
【特許文献１】特開２００２−１９９３４４号公報
【発明の開示】
【発明が解決しようとする課題】
【０００７】
上述したように特許文献１では、サーバ・クライアントモデルのストリーミングシステムにおける早送り・早戻しといった特殊再生において、エンドユーザの再生所望点を直接時間で指定し、無駄なデータを送受信しない方法が提案・実現されている。しかしながら、エンドユーザの再生所望点の指定方法としては、早送りや早戻しの最中にクライアント端末に表示される映像を確認しながら再生所望点を探索し、指定するのが一般的である。
【０００８】
例えば、実際にエンドユーザが早送り・早戻しによって再生所望点を指定する際には、再生所望時間を直接指定するのではなく、普段ビデオテープデッキやＤＶＤ（Ｄｉｇｉｔａｌ  Ｖｅｒｓａｔｉｌｅ  Ｄｉｓｃ）プレイヤで早送り・早戻し再生するように、操作できるようにするのが好ましい。すなわち、クライアント端末に実装される早送り・早戻しボタンを押下し、早送り・早戻しの最中にクライアン卜端末に表示される映像を確認しながら再生所望点を探索し、指定するのが好ましい。
【０００９】
しかしながら、クライアント端末が携帯電話機等の携帯端末である場合には、ストリーミングデータを再生する際、図８に示されているようなスライドバーを用いた操作を行うことはできないという問題がある。
本発明は上述した従来の問題点を解決するためになされたものであり、その目的は携帯端末を用いたストリーミングシステムにおいて、スライドバーを操作することができない場合でも、エンドユーザがその携帯端末に表示される早送りや早戻しの最中の映像を確認しながら再生所望点を探索・指定・再生することのできるストリーミングサーバ、携帯端末、ストリーミングコンテンツ再生システム、ストリーミングコンテンツ再生方法を提供することである。
【課題を解決するための手段】
【００１０】
本発明の請求項１によるストリーミングサーバは、高能率符号化方式でエンコードされたストリーミングコンテンツが格納された格納手段（図１中のコンテンツ格納部２０に対応）と、携帯端末（図１中の携帯端末１に対応）の押しボタン操作に応答して前記格納手段から前記ストリーミングコンテンツのうち自フレーム内で圧縮が完結している圧縮フレームを連続して前記携帯端末に送信するフレーム送信手段（図１中の連続Ｉフレーム送信部２２に対応）とを含むことを特徴とする。このようにコンテンツサーバを構成することにより、携帯端末において動画像等を再生する場合に、押しボタンの操作で、早送り再生や早戻し再生を実現することができる。
【００１１】
本発明の請求項２による携帯端末は、高能率符号化方式でエンコードされたストリーミングコンテンツを外部装置から受信して再生する携帯端末であって、押しボタン操作部（図１中の押しボタン操作部１０に対応）と、前記押しボタン操作部の操作に応答して前記ストリーミングコンテンツのうち自フレーム内で圧縮が完結している圧縮フレームを連続して送信させるための指令を前記外部装置（図１中のストリーミングサーバ２に対応）に送信する指令送信手段（図１中の特殊再生要求送信部１１に対応）とを含むことを特徴とする。携帯端末で動画像等を再生する場合に、押しボタンの操作で、早送り再生や早戻し再生を実現することができる。
【００１２】
本発明の請求項３によるストリーミングコンテンツ再生システムは、高能率符号化方式でエンコードされたストリーミングコンテンツを送信するストリーミングサーバと、前記ストリーミングコンテンツを前記ストリーミングサーバから受信して再生する携帯端末とを含むストリーミングコンテンツ再生システムであって、
前記携帯端末は、押しボタン操作部と、前記押しボタン操作部の操作に応答して前記ストリーミングコンテンツのうち自フレーム内で圧縮が完結している圧縮フレームを連続して送信させるための指令を前記ストリーミングサーバに送信する指令送信手段とを含み、
前記ストリーミングサーバは、前記ストリーミングコンテンツが格納された格納手段と、前記携帯端末からの前記指令に応答して前記格納手段から前記圧縮フレームを連続して前記携帯端末に送信するフレーム送信手段とを含むことを特徴とする。このようなシステムによれば、携帯端末で動画像等を再生する場合に、押しボタン操作によって早送り再生や早戻し再生を実現することができる。
【００１３】
本発明の請求項４によるストリーミングコンテンツ再生方法は、高能率符号化方式でエンコードされたストリーミングコンテンツをストリーミングサーバから送信し、該ストリーミングコンテンツを携帯端末において受信して再生するストリーミングコンテンツ再生方法であって、
前記携帯端末における押しボタン操作に応答して前記ストリーミングコンテンツのうち自フレーム内で圧縮が完結している圧縮フレームを連続して送信させるための指令を前記ストリーミングサーバに送信する指令送信ステップと、
前記指令に応答して前記ストリーミングコンテンツのうち自フレーム内で圧縮が完結している圧縮フレームを連続して前記携帯端末に送信するフレーム送信ステップとを含むことを特徴とする。このような方法によれば、携帯端末で動画像等を再生する場合に、押しボタン操作によって早送り再生や早戻し再生を実現することができる。
【００１４】
本発明の請求項５による携帯端末制御プログラムは、ストリーミングコンテンツの再生に関する指令を、携帯端末から送信する制御を行うための携帯端末制御プログラムであって、前記携帯端末内のコンピュータに、ボタン押下を検出するステップと、押下されたボタンに対応する指令を外部装置に送信するステップとを実行させることを特徴とする。このようなプログラムを、携帯端末内のＣＰＵに実行させれば、スライドバーを用いることができない携帯端末でも、早送り再生や早戻し再生を行うことができる。
【発明の効果】
【００１５】
以上説明したように本発明は、クライアントである携帯端末の押しボタン操作に応答して、Ｉフレームを連続して送信することにより、エンドユーザは画面表示される早送り再生・早戻し再生の最中の映像を確認しながら再生所望点を探索・指定・再生させることができるという効果がある。
【発明を実施するための最良の形態】
【００１６】
以下、本発明の実施の形態を、図面を参照して説明する。なお、以下の説明において参照する各図では、他の図と同等部分は同一符号によって示されている。
（ストリーミングコンテンツ再生システム）
図１は、本発明の実施の形態に係るストリーミングコンテンツ再生システムの構成を示す図である。ここでは、高能率符号化方式の一例として、ＭＰＥＧを採用した場合について説明する。
【００１７】
図１に示されているストリーミングコンテンツ再生システムは、携帯端末１と、ストリーミングサーバ２とを含んで構成されている。携帯端末１は、ストリーミングサーバ２に対するクライアント端末として機能する。
同図において、携帯端末１は、エンドユーザの指示を入力するための押しボタン操作部１０と、この押しボタン操作部１０への入力指示に応じて早送り、早戻し、再生の３つの特殊再生要求を送信する特殊再生要求送信部１１と、ストリーミングサーバ２から送出される連続Ｉフレームを受信・再生する連続Ｉフレーム受信・再生部１２と、ストリーミングサーバ２から送出されるストリーミングデータを受信・再生する通常ストリーム受信・再生部１３とを含んで構成されている。
【００１８】
また、同図においてストリーミングサーバ２は、ＭＰＥＧ形式でエンコードされたストリーミングコンテンツ及びその全Ｉフレーム箇所を記憶したコンテンツ格納部２０と、クライアントからの早送り、早戻し、再生の３つの特殊再生要求を受信・判断する特殊再生要求受信部２１と、クライアントからの早送り、早戻し要求を特殊再生要求受信部２１にて受信すると、ストリーミングコンテンツのストリーミングデータ送出停止時点から早送り（未来）方向あるいは早戻し（過去）方向にＩフレームのみをコンテンツ格納部２０から連続でクライアントに送出する連続Ｉフレーム送信部２２と、クライアントからの再生要求を特殊再生要求受信部にて受信すると、ストリーミングコンテンツのストリーミングデータ送出停止時点からストリーミングデータをコンテンツ格納部２０よりクライアントに送出する通常ストリーム送信部２３とを含んで構成されている。なお、コンテンツ格納部２０に格納されているストリーミングデータについて、Ｉフレームが格納されている全ての箇所がストリーミングサーバ２において管理されており、Ｉフレームのみを携帯端末１に送信できるものとする。
【００１９】
このように構成されたストリーミングコンテンツ再生システムにおいては、携帯端末１とストリーミングサーバ２との間でのストリーミングコンテンツのストリーミング中に、エンドユーザが早送りあるいは早戻し再生指示を携帯端末１に指示すると、携帯端末１は早送りあるいは早戻し要求をストリーミングサーバ２に通知する。ストリーミングサーバ２はこれを受信すると、ストリーミングコンテンツのストリーミングデータ送出を停止し、停止時点から早送り（未来）方向あるいは早戻し（過去）方向に以降のＩフレームのみを連続で携帯端末１に送信する。携帯端末１はこれを受信・再生する。このように動作することによって、エンドユーザは早送り（未来）方向あるいは早戻し（過去）方向以降のＩフレーム映像をクライアント端末で視聴・確認できるので、再生所望点を探索できる。
【００２０】
また、その後エンドユーザが、早送りあるいは早戻しＩフレーム映像視聴中に再生所望点を発見し、再生指示を携帯端末１に指示すると、携帯端末１は再生要求をストリーミングサーバ２に通知する。ストリーミングサーバ２はこれを受信すると、Ｉフレームの送信を停止し、Ｉフレーム送信停止時点から通常のストリーミングデータをコンテンツ格納部２０より携帯端末１に送出する。携帯端末１はこれを受信・再生することによって、エンドユーザは再生所望点からの映像を視聴できる。
【００２１】
次に、本発明によるサーバ・クライアントモデルのストリーミングシステムにおける早送り再生の処理の流れについて、図２〜図５を参照して説明する。
本例では、まずエンドユーザが、図２に示されているように、ストリーミングコンテンツ映像の再生を要求する場合について説明する。同図には、ストリーミングコンテンツデータ全体のうち、最初に通常の速度で再生し、その後早送り再生を指示し、再び通常の速度を指示する場合が示されている。すなわち、同図中の「ストリーミングデータ（１）」が最初の通常速度による再生、その後の「Ｉフレームデータ（２）」が早送り再生、「ストリーミングデータ（３）」がその後の通常速度による再生、である。
【００２２】
「ストリーミングデータ（１）」及び「ストリーミングデータ（３）」の期間は先述したＩフレーム、Ｐフレーム、Ｂフレームのすべてを、ストリーミングサーバ２から携帯端末１に送信するので、通常の速度による再生が行われることになる。これに対し、「Ｉフレームデータ（２）」の期間はＰフレーム及びＢフレームは送信せずにＩフレームのみを、ストリーミングサーバ２から携帯端末１に送信するので、早送り再生が行われることになる。なお、同図において、「Ｉフレームデータ（２）」の期間に白抜き部分が存在するが、これはＩフレーム以外のデータすなわちＰフレーム及びＢフレームが再生されないことを表している。
【００２３】
（携帯端末の例）
ところで、携帯端末１は、携帯電話機等であるため、先述したスライドバー等を用いた操作を行うことはできない。このため、本システムでは携帯端末１にもともと設けられている押しボタンを用いて操作を行う。例えば、図３に示されているような携帯端末１の場合、数字入力のための数字ボタンを含む押しボタン操作部１０を用いて操作を行う。ここでは、数字ボタン「５」を「再生」指令のためのボタン、数字ボタン「６」を「早送り再生」指令のためのボタン、数字ボタン「４」を「早戻し再生」指令のためのボタン、とする。上述した図２に示されているように再生する場合は、最初に「再生」指令のための数字ボタン「５」を押下し、次に「早送り再生」指令のための数字ボタン「６」を押下し、再度「再生」指令のための数字ボタン「５」を押下すれば良い。なお、表示画面１２０には、再生される動画像が表示される。
【００２４】
以上のように数字ボタン「４」、「５」及び「６」を用いるのは一例にすぎず、「１」、「２」及び「３」や「７」、「８」及び「９」等、他の数字ボタンを用いても良い。
また、コマンドナビゲーションボタン１１０を用いても良い。このコマンドナビゲーションボタン１１０を用いる場合は、例えば右側を指示すれば「早送り再生」、左側を指示すれば「早戻し再生」、中央を指示すれば「再生」、の各指令とすれば良い。
【００２５】
（携帯端末制御プログラム）
上記のような押しボタン操作部１０の押下操作に応答してストリーミングサーバ２に「早送り再生」、「早戻し再生」、「再生」、の各指令を送信するには、押しボタン操作部１０の押下操作に応答して、それらの各指令を生成するためのプログラムを予め携帯端末１内のメモリに記憶しておき（図示せず）、そのプログラムを携帯端末内のＣＰＵ（図示せず）で実行すれば良い。なお、プログラムは、予めメモリに記憶しておくのではなく、ネットワークを介して携帯端末にダウンロードし、このダウンロードしたものをＣＰＵで実行するようにしても良い。
【００２６】
そのプログラムについて、図４を参照して説明する。同図は携帯端末内のＣＰＵによって実行されるプログラムの内容の例を示すフローチャートである。
同図において、まず、携帯端末の押しボタンが押下されたことを検出する（ステップＳ５０１）。押しボタンが押下されるまでは現在の動作状態が維持される。
押しボタンが押下されたことを検出した場合、その押下された押しボタンに対応する指令が送信される。すなわち、押下された押しボタンが「再生」に対応するボタンである場合、ストリーミングコンテンツを再生するための指令が携帯端末１からストリーミングサーバ２に送信される（ステップＳ５０１→Ｓ５０２）。また、押下された押しボタンが「早戻し再生」に対応するボタンである場合、ストリーミングコンテンツを早戻し再生するための指令が携帯端末１からストリーミングサーバ２に送信される（ステップＳ５０１→Ｓ５０３）。さらに、押下された押しボタンが「早送り再生」に対応するボタンである場合、ストリーミングコンテンツを早送り再生するための指令が携帯端末１からストリーミングサーバ２に送信される（ステップＳ５０１→Ｓ５０４）。なお、押下された押しボタンが「停止」に対応するボタンである場合、ストリーミングコンテンツを再生停止するための指令が携帯端末１からストリーミングサーバ２に送信される（ステップＳ５０１→Ｓ５０５）。以上の処理が繰返し行われる。
以上のようなプログラムを、携帯端末内のＣＰＵに実行させれば、スライドバーを用いることができない携帯端末でも、早送り再生や早戻し再生を行うことができる。
【００２７】
（システム全体の動作）
さらに携帯端末１及びストリーミングサーバ２の動作シーケンス図である図５を参照して説明する。同図において、再生要求を行うためにエンドユーザが再生ボタンを押下する（ステップＳ４０１）。すると、携帯端末１はエンドユーザの要求に応じ、特殊再生要求送信部１１から、再生要求をストリーミングサーバ２に送信する（ステップＳ４０２）。
ストリーミングサーバ２は、携帯端末１より再生要求を特殊再生要求受信部２１にて受信すると、コンテンツ格納部２０のストリーミングデータ（１）を、通常ストリーム送信部２３を経由して携帯端末１に送信する（ステップＳ４０３、Ｓ４０４）。すると、携帯端末１は、通常ストリーム受信・再生部１３にてこれを受信し、映像再生を開始する（ステップＳ４０５）。以上により、エンドユーザは通常の映像視聴が可能となる。
【００２８】
映像視聴開始後にエンドユーザが早送り再生を望む場合、エンドユーザは携帯端末１の早送りボタンを押下する（ステップＳ４０６）。携帯端末１はエンドユーザの要求に応じ、特殊再生要求送信部１１から、早送り再生要求をストリーミングサーバに２送信する（ステップＳ４０７）。
ストリーミングサーバ２は、携帯端末１より早送り再生要求を特殊再生要求受信部２１にて受信すると、ストリーミングデータの送出を停止する。そして、ストリーミングサーバ２は、ストリーミングコンテンツのストリーミングデータ送出停止時点から早送り（未来）方向に、以降のＩフレームデータ（２）つまりＩフレームのみを連続でコンテンツ格納部より連続Ｉフレーム送信部２２を経由して携帯端末１に送信する（ステップＳ４０８、Ｓ４０９）。携帯端末１は、連続Ｉフレーム受信・再生部１２にてこれを受信し、早送り映像再生を開始する（ステップＳ４１０）。以上により、エンドユーザは早送り（未来）方向のＩフレーム映像のみを連続で閲覧し、再生所望点の探索が可能となる。
【００２９】
その後、エンドユーザが再生所望点を発見すると、エンドユーザは携帯端末１の再生ボタンを再押下する（ステップＳ４１１）。携帯端末１はエンドユーザの要求に応じ、特殊再生要求送信部１１から、再生要求をストリーミングサーバ２に送信する（ステップＳ４１２）。
ストリーミングサーバ２は、携帯端末１より再生要求を特殊再生要求受信部２１にて受信すると、Ｉフレームデータ（２）つまりＩフレームのみの送信は停止する。そして、ストリーミングサーバ２は、その送信停止時点以降のストリーミングデータ（３）をコンテンツ格納部２０より通常ストリーム送信部２３を経由して携帯端末１に送信する（ステップＳ４１３、Ｓ４１４）。すると、携帯端末１は通常ストリーム受信・再生部１３にてこれを受信し、映像再生を再度開始する（ステップＳ４１５）。以上により、エンドユーザは再生所望点以降の通常の映像視聴が可能となる。
なお、本システムにおける早戻し再生についても上記早送り再生処理と同様の処理にて実現できることは明白である。
【００３０】
（ストリーミングコンテンツ再生方法）
以上説明したストリーミングコンテンツ再生システムにおいて実現されているストリーミングコンテンツ再生方法について図６を参照して説明する。同図はストリーミングコンテンツ再生方法を示すフローチャートである。
同図において、携帯端末から指令が送信されて来るまでは、現在の動作状態が維持される（ステップＳ６０１）。携帯端末から指令が送信されて来た場合、その指令の内容を判断する（ステップＳ６０１→Ｓ６０２）。携帯端末から送信されて来た指令の内容が通常の再生要求の場合、ストリーミングデータをそのまま携帯端末に送信する（ステップＳ６０２→Ｓ６０３）。
【００３１】
また、携帯端末から送信されて来た指令の内容が早送り再生の場合、Ｉフレームを未来方向に連続して携帯端末に送信する（ステップＳ６０２→Ｓ６０４）。携帯端末から送信されて来た指令の内容が早戻し再生の場合、Ｉフレームを過去方向に連続して携帯端末に送信する（ステップＳ６０２→Ｓ６０５）。
なお、携帯端末から停止要求が送信されない限り、以上の処理を繰返す（ステップＳ６０６→Ｓ６０１）。
【００３２】
以上のように、本方法は、携帯端末における押しボタン操作に応答してストリーミングコンテンツのうち、自フレーム内で圧縮が完結している圧縮フレームすなわちＩフレームを連続して送信させるための指令をストリーミングサーバに送信する指令送信ステップと、その指令に応答してストリーミングコンテンツのＩフレームを連続して携帯端末に送信するフレーム送信ステップとを含んでいる。このため、携帯端末で動画像等を再生する場合に、押しボタン操作によって早送り再生や早戻し再生を実現することができる。
【００３３】
（変形例）
以上は高能率符号化方式の例として、ＭＰＥＧの場合について説明したが、ＭＰＥＧ以外の高能率符号化方式でエンコードされているストリーミングコンテンツについても本発明が適用できることは明白である。ＭＰＥＧ以外の高能率符号化方式の場合、ＭＰＥＧのＩフレームに相当する、自フレーム内で圧縮が完結している圧縮フレームを携帯端末に送信すれば、上記と同様に早送り再生や早戻し再生を行うことができる。
また、以上は、携帯端末が携帯電話機である場合について説明したが、携帯電話機の世代は、第２世代、第３世代、あるいは更に次の世代の端末でも良い。ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）等を用いることもできる。
【産業上の利用可能性】
【００３４】
以上説明したように、本システムによれば、携帯端末で動画像等を再生する場合に、押しボタン操作によって早送り再生や早戻し再生を実現でき、早送り再生・早戻し再生の最中の映像を確認しながら再生所望点を探索・指定・再生させることができる。
【図面の簡単な説明】
【００３５】
【図１】本発明の構成例
【図２】ＭＰＥＧ形式でエンコードされたストリーミングコンテンツ例を示す図である。
【図３】押しボタンを有する携帯端末の構成例を示す外観図である。
【図４】同図は携帯端末内のＣＰＵによって実行されるプログラムの内容の例を示すフローチャートである。
【図５】本発明のストリーミングコンテンツ再生システムによる早送り再生の処理の流れの例を示すシーケンス図である。
【図６】ストリーミングコンテンツ再生方法を示すフローチャートである。
【図７】各予測画像を説明するための図である。
【図８】スライドバーによる再生制御を実装したクライアント端末インタフェース例を示す図である。
【符号の説明】
【００３６】
１  携帯端末
２  ストリーミングサーバ
１０  ボタン操作部
１１  特殊再生要求送信部
１２  連続Ｉフレーム受信・再生部
１３  通常ストリーム受信・再生部
２０  コンテンツ格納部
２１  特殊再生要求受信部
２２  連続Ｉフレーム送信部
２３  通常ストリーム送信部
１１０  コマンドナビゲーションボタン
１２０  表示画面
【図１】
2005136504.tif 000003
【図２】
2005136504.tif 000004
【図３】
2005136504.tif 000005
【図４】
2005136504.tif 000006
【図５】
2005136504.tif 000007
【図６】
2005136504.tif 000008
【図７】
2005136504.tif 000009
【図８】
2005136504.tif 000010